(57)【要約】【課題】随時適量の水が提供でき、通気性に優れた大量の貯水機能及び給水量の制御機能を具有するブロー成型による植木鉢の構造を提供する。【解決手段】鉢本体１０は、ブロー成型法により内鉢１２と外鉢１１とに分かれた形状に成型することで、該内鉢１２と外鉢１１との間に貯水空間Ｗを形成し、該鉢本体１０の底部には通気管１３を、また、該内鉢１０中に敷かれる敷板２０を設け、さらに、該敷板２０の表面には通気孔２１を、及び側壁に通水孔２３が設けられた空洞状の脚２２を設け、また、該内鉢１２には該貯水空間Ｗと連通した一つ以上の水位制御孔１２１、１２２または水位制御管１２３、１２４を設ける。【選択図】　図２
2004008100.tif 000002
【特許請求の範囲】
【請求項１】
主に、内鉢と外鉢及び底部に通気孔が設けられた通気管が設けられており、該内鉢と外鉢間には貯水空間が形成されている鉢本体と、平面に複数の通気孔が設けられており且つ、側壁に通水孔が設けられた空洞状の脚を具有し、該内鉢底部に設置された後、さらに草木に提供するための土が盛られる敷板と、より構成され、該鉢本体の内鉢と外鉢と通気管は、ブロー成型法により一体成型されており、また、該鉢本体の内鉢底部に設けられた一つ以上の水位制御孔または水位制御管が該貯水空間と連通しており、該水位制御孔または水位制御管が該通気管の先端部より低い位置に設けられて該貯水空間の水を該内鉢内にまで流通させ、同時に該通気管の先端部より流出しないようにしており、該水位制御孔または、水位制御管は該内鉢底部の貯水量により、自動で一定の水量を提供したり止水し、且つ、該通気孔によって優れた通気性を提供することで草木の根部に正常な通気の効果が提供されていることを特徴とする大量の貯水機能及び給水量の制御機能を具有するブロー成型による植木鉢の構造。
【請求項２】
該鉢本体の上端には入水孔が設けられて貯水空間と連通しており、且つ、密封蓋によって封じられていることにより、水の補給が便利で且つ気密である効果が提供されており、また、該鉢本体の底部には出水孔が設けられて、貯水空間と連通しており、密封蓋によって封じられていることより、水を排出したりまたは水中の汚れを排出し、且つ、気密である効果が提供されていることを特徴とする請求項１記載の大量の貯水機能及び給水量の制御機能を具有するブロー成型による植木鉢の構造。
【発明の詳細な説明】
【０００１】
【発明の属する技術分野】
本発明は、大量の貯水機能及び給水量の制御機能を具有するブロー成型による植木鉢の構造に係り、特に、その他の器具等を装着しなくとも大量の水が貯められることで随時適度な水量が草木に提供され、且つ、製造工程が簡単でコストの低いものに関わる。
【０００２】
【従来の技術】
公知構造の植木鉢において、その最も原始的な形状は、土を盛って草木の根部が入るべく一層のカップのような形状を呈しており、底部に数個の孔が設けられているものがある。
また、図７に公知構造の植木鉢の使用時における断面を示すとおり、改良されたタイプのものにおいては、外鉢１と内鉢２を有し、外鉢１と内鉢２との間には貯水空間Ｗが設けられており、さらに、該内鉢２の底部には孔が設けられて吸水材料３等が設置される個所が設けられており、貯水空間Ｗと連通した該吸水材料３は該貯水空間Ｗ内の水を吸収し、また、鉢内部の土は該吸水材料３と接触していることより、該吸水材料３の水は土を湿らせ、草木に水を提供しており、さらに、水の補充に便利なように、該外鉢１の高い位置に設けられた入水孔４で、貯水の機能と給水の目的が達成されている。
これらの公知構造の植木鉢を製造する方法の一つとして、プラスチックスの中空製品の製造方法であるブロー成型法が知られている。
【０００３】
【発明が解決しようとする課題】
しかし、上述のような改良されたタイプの公知構造の鉢においても、下のような欠点がある。
その欠点とは、吸水材料と土とが直接接触していることで、水が随時提供されること自体が欠点となり、給水量が大き過ぎて、根腐れを起す原因となってしまうこと、また、日が経つと吸水材料は変質して腐り易く、吸水性も衰え、最後は水を充分に供給することが不可能となり、草木を枯らせてしまうこと、その他にも通気性に劣ることで、草木の寿命に悪影響を与えていること、及び入水孔によって水を補充するのに便利なのとは逆に、貯水量が少ないものとなってしまっていること等が挙げられる。
そこで、上述の欠点に鑑み、コストが低くて丈夫、且つ、適量の水が随時提供でき、通気性に優れた本発明の大量の貯水機能及び給水量の制御機能を具有するブロー成型による植木鉢の構造を提供する。
【０００４】
【課題を解決するための手段】
鉢本体は、ブロー成型法により内鉢と外鉢とに分かれた形状に成型することで、該内外両鉢間に貯水空間を形成し、該鉢本体の底部には通気管を、また、該内鉢中に敷かれる敷板を設け、さらに、該敷板の平面には通気孔を、及び側壁に通水孔が設けられた空洞状の脚を設け、また、該内鉢底部には該貯水空間と連通した一つ以上の水位制御孔または水位制御管を設ける。
【０００５】
すなわち、本発明は、主に、内鉢と外鉢及び底部に通気孔が設けられた通気管が設けられており、該内鉢と外鉢間には貯水空間が形成されている鉢本体と、平面に複数の通気孔が設けられており且つ、側壁に通水孔が設けられた空洞状の脚を具有し、該内鉢底部に設置された後、さらに草木に提供するための土が盛られる敷板と、より構成され、該鉢本体の内鉢と外鉢と通気管は、ブロー成型法により一体成型されており、また、該鉢本体の内鉢底部に設けられた一つ以上の水位制御孔または水位制御管が該貯水空間と連通しており、該水位制御孔または水位制御管が該通気管の先端部より低い位置に設けられて該貯水空間の水を該内鉢内にまで流通させ、同時に該通気管の先端部より流出しないようにしており、該水位制御孔または、水位制御管は該内鉢底部の貯水量により、自動で一定の水量を提供したり止水し、且つ、該通気孔によって優れた通気性を提供することで草木の根部に正常な通気の効果が提供されていることを特徴とする大量の貯水機能及び給水量の制御機能を具有するブロー成型による植木鉢の構造である。
【０００６】
また、本発明は、該鉢本体の上端には入水孔が設けられて貯水空間と連通しており、且つ、密封蓋によって封じられていることにより、水の補給が便利で且つ気密である効果が提供されており、また、該鉢本体の底部には出水孔が設けられて、貯水空間と連通しており、密封蓋によって封じられていることより、水を排出したりまたは水中の汚れを排出し、且つ、気密である効果が提供されていることを特徴とする上記の大量の貯水機能及び給水量の制御機能を具有するブロー成型による植木鉢の構造である。
【０００７】
【発明の実施の形態】
図１に示すように、本発明の植木鉢の構造は、主に、鉢本体１０と敷板２０とより構成される。該鉢本体１０には内鉢１２と外鉢１１、並びに底部に通気孔１３０を具有する通気管１３を含み、該内鉢１２と該外鉢１１との間には貯水空間Ｗが設けられている。該敷板２０には複数の通気孔２１をもつ平面部と空洞状の脚２２とが設けられており、該脚２２の側壁には通水孔２３が設けられており、図２に示すように、該敷板２０は該内鉢１２内に設置され、該敷板２０の上には草木を植えるための土壌が敷き詰められる。
【０００８】
該鉢本体１０の内鉢１２と外鉢１１、及び通気管１３はスピーディーに製造されるべくブロー成型法により一体成型で製造されており、該鉢本体１０の内鉢１２の底部には一つ以上の孔が設けられており（孔が一つのみである場合は、その直径はやや大きく設計される）、これは、図２中に示す水位制御孔１２１、１２２であり、該水位制御孔１２１、１２２は内鉢底部を貫通して該貯水空間Ｗに連通しており、且つ、その高さ位置は通気管１３の先端部よりも低く、貯水空間Ｗの水は該内鉢１２中にまで流れて至るが、しかし、該通気管１３よりは流れ出ないようになっている。
図１に示すように、該鉢本体１０の上端には入水孔１２５が設けられて該貯水空間Ｗと連通しており、且つ、密封蓋１４によって蓋がされており、水の補給を便利にし、且つ、水が蒸発し難いようになっている。また、該鉢本体１０の底部には出水孔１１０が設けられており、該出水孔１１０も該貯水空間Ｗと連通しており、上述同様に別の密封蓋１４によって封じられており、こうすることで、気密になり、また、水を出したり汚れを出す等の効果を提供している。
【０００９】
上述の構造により、本発明の植木鉢を実際に使用する際においては、先ず、図２に示すように、該敷板２０の上方には草木を植える個所が提供され、また、該敷板２０の下方と内鉢１２の底部との間はもう一つの貯水空間が形成されており、また、該内鉢１２内の水位が上下各水位制御孔１２１、１２２の高さ位置を満たしていることから気密となり、こうすることで、該貯水空間Ｗの水が流れ出ることがなくなり（図２参照）、該内鉢１２内の水位が該水位制御孔１２１より上になり、「定量」の水量を保持することができ、また、該敷板２０の空洞状である脚２２中に土を充填すると、通水孔２３を具有することより、水が該脚２２中に浸入して土壌を適度に湿らせて、草木の根部が水を吸収できるようにする。
【００１０】
該内鉢１２中の水が吸収されることによって量が少なくなり、水位制御孔１２１より水位が低くなったとき、図３に示すように、空気が上方の水位制御孔１２１より進入し、貯水空間Ｗが気密でなくなる。こうして、水が下方の水位制御孔１２２より流出して内鉢１２中に至り、水位が上昇して上方の水位制御孔１２１が再び封じらた状態となり、貯水空間Ｗ中の水が該内鉢１２内に再び入りこまないようにしており、水が自動的に補充される作用が達成され、且つ、水が多すぎたり少な過ぎたりしないようになっている。
【００１１】
つまり、本発明の植木鉢の構造では、水を流通させたり、止めたりする効果が提供され、上、下両水位制御孔１２１、１２２が皆、封じられるとき、貯水空間Ｗは気密状態となり、空気が進入しない限り、水が排出されない。また、本発明の植木鉢の構造における上、下両水位制御孔１２１、１２２は、上、下水位制御孔１２１、１２２が皆、塞がれているとき、貯水空間Ｗは水を排出することができず、水位が下がって上方の水位制御孔１２１が塞がれていない状態となると、空気が該上方の水位制御孔１２１より貯水空間Ｗに進入して、貯水空間Ｗの水が下方の水位制御孔１２２より排出されて内鉢１２の底部の給水空間に進入し、よって、水位が高すぎず低過ぎず、ちょうどよく保たれ、土壌が湿り過ぎたり乾き過ぎることをなくしており、草木にとって適度な量の水を常に供給でき、貯水空間Ｗに水がある限りは草木に水を撒く必要がなく、草木が枯れてしまったり、逆に根腐れを起すことが防止される。
【００１２】
同様に、該水位制御孔１２１、１２２は、一つの孔として設計されても、上述と同様に、該内鉢１２中の水が使用されることにより、水位制御孔が塞がれた状態ではなくなると、空気が該貯水空間Ｗ中に入りこみ、水が該内鉢１２中に流れ込み、内鉢の水位が上昇すると水位制御孔が再び封じられ、止水状態となる。
また、「草木の根部における通気」において、本発明の植木鉢の構造は、敷板の底部と水面との間に一定の隙間があり、この隙間は水が充満しないことより、空気は該通気管１３、通気孔１３０を経て土壌に至り、草木の根部に通気の効果が提供されている。
また、万一、外から浸入してきた水（雨など）で、水量が多すぎる場合においては、余りの水が通気管１３と通気孔１３０を通して排除され、鉢内に貯まることがないようになっている。
【００１３】
さらに、上述の水位制御孔において説明を付け加えると、図４、図５、図６に示すような構造としてもよい。これは、水位制御孔を管状とし、鉢の底部に一個以上の水位制御管１２３、１２４を設け、該水位制御管１２３、１２４は一定の高さを有するが、通気管１３の先端部の高さより低くなっている。該内鉢１２の底部に貯められた水が使い終わり、水位制御管１２３、１２４より低くなると、空気が内部に進入し、内外鉢１２、１１の貯水空間Ｗ中に進入し、さらに、貯水空間Ｗ中の水がもう一つの水位制御管より排出され、内鉢１２の底部に溜められている水の高さが再び該水位制御管１２３、１２４を満たすとき、すなわち、止水状態となり、水が出ない状態となり、該内鉢１２の水量が一定に保たれる。
【００１４】
【発明の効果】
本発明によると、ブロー成型法によって容易に製造され、且つ、簡単な構造により充分な量の水が貯められるため随時適量の水が草木に提供され、同時に過度の給水による根腐れが防止されており、また、根部に良好な通気性を提供することができる。
【図面の簡単な説明】
【図１】本発明の植木鉢の構造の一実施例の立体分解部分断面斜視図である。
【図２】図１に示す実施例の植木鉢の使用時における高い水位で止水状態を示す断面図である。
【図３】図１に示す実施例の植木鉢の使用時における低い水位で水が補充される状態を示す部分断面図である。
【図４】本発明の植木鉢の構造の別の実施例を示す立体分解部分断面斜視図である。
【図５】図４に示す実施例の使用時における高い水位で止水状態を示す部分断面図である。
【図６】図４に示す実施例の使用時における低い水位で水が補充される状態を示す部分断面図である。
【図７】公知構造の植木鉢の使用時における断面図である。
【符号の説明】
１、１１　外鉢
２、１２　内鉢
３　吸水材料
４　　入水孔
１０　鉢本体
１３　通気管
１４　密封蓋
２０　敷板
２１　通気孔
２２　脚
２３　通水孔
１１０　出水孔
１２１、１２２　水位制御孔
１２３、１２４　水位制御管
１２５　入水孔
１３０　通気孔
Ｗ　貯水空間
【図１】
2004008100.tif 000003
【図２】
2004008100.tif 000004
【図３】
2004008100.tif 000005
【図４】
2004008100.tif 000006
【図５】
2004008100.tif 000007
【図６】
2004008100.tif 000008
【図７】
2004008100.tif 000009